(57)【要約】【課題】光走査ユニットに設けられた清掃部材に付着物が滞留するのを抑制すると共に、清掃部材を保持する保持部材を安定的に移動させることができる画像形成装置を提供する。【解決手段】画像形成装置Ａにおいて、感光体ドラム１０上にレーザ光Ｌを走査して静電潜像を形成する光走査装置４０を備え、光走査装置４０の一方の清掃部材５３は、清掃ホルダ５１の移動方向及び鉛直方向と直交する方向に対して傾斜して一方の閉塞部材５２と接触する清掃面５３ａを有し、光走査装置４０の他方の清掃部材５３は、前記直交する方向に対して傾斜して他方の閉塞部材５２と接触する清掃面５３ａであって、清掃ホルダ５１の一端側から他端側へ向かう方向において、一方の清掃部材５３の清掃面５３ａによって鋭角が形成される側と反対側に鋭角が形成されるように前記直交する方向に傾斜する清掃面５３ａを有する。【選択図】図６
2019159136.tif 000002
【特許請求の範囲】
【請求項１】
第１の感光体と、
前記第１の感光体と異なる第２の感光体と、
前記第１の感光体の表面に形成された静電潜像を、トナーを用いて現像する第１の現像部と、
前記第２の感光体の表面に形成された静電潜像を、トナーを用いて現像する前記第１の現像部と異なる第２の現像部と、
前記第１の感光体、前記第２の感光体、前記第１の現像部及び前記第２の現像部よりも鉛直方向の下方に配置され、前記第１の感光体及び前記第２の感光体上にレーザ光を走査して静電潜像を形成する光走査ユニットであって、前記第１の感光体上に走査するレーザ光を前記光走査ユニットの内部から外部に通過させ、前記第１の感光体上に走査されるレーザ光の走査方向に長尺な第１の透過部材と、前記第２の感光体上に走査するレーザ光を前記光走査ユニットの内部から外部に通過させ、前記第２の感光体上に走査するレーザ光の走査方向に長尺な第２の透過部材と、を有する光走査ユニットと、
前記第１の透過部材の前記光走査ユニットの外部側の表面を清掃するために前記第１の透過部材の前記表面に接触する第１の清掃部材と、
前記第２の透過部材の前記光走査ユニットの外部側の表面を清掃するために前記第２の透過部材の前記表面に接触する第２の清掃部材と、
前記第１の清掃部材を中央部に対して一端側に保持し、前記第２の清掃部材を前記中央部に対して他端側に保持する保持部材と、
前記第１の清掃部材が前記第１の透過部材の長手方向に移動し、前記第２の清掃部材が前記第２の透過部材の長手方向に移動するように前記保持部材を移動させる移動手段と、
を備え、
前記第１の清掃部材は、前記保持部材の移動方向及び鉛直方向と直交する方向に対して傾斜して前記第１の透過部材と接触する第１清掃面を有し、
前記第２の清掃部材は、前記直交する方向に対して傾斜して前記第２の透過部材と接触する第２清掃面であって、前記保持部材の前記一端側から前記他端側へ向かう方向において、前記第１清掃面によって鋭角が形成される側と反対側に鋭角が形成されるように前記直交する方向に傾斜する第２清掃面を有することを特徴とする画像形成装置。
【請求項２】
前記第１清掃面は、前記保持部材の前記一端側に対して鋭角が形成されるように前記直交する方向に対して傾斜し、
前記第２清掃面は、前記保持部材の前記他端側に対して鋭角が形成されるように前記直交する方向に対して傾斜することを特徴とする請求項１に記載の画像形成装置。
【請求項３】
前記第１清掃面は、前記保持部材の前記他端側に対して鋭角が形成されるように前記直交する方向に対して傾斜し、
前記第２清掃面は、前記保持部材の前記一端側に対して鋭角が形成されるように前記直交する方向に対して傾斜することを特徴とする請求項１に記載の画像形成装置。
【請求項４】
前記第１の清掃面と、前記第２の清掃面とは、前記第１清掃部材と前記第２清掃部材とが前記保持部材に保持された状態で前記保持部材の前記移動方向における中心線に対して線対称に傾斜していることを特徴とする請求項１乃至３のいずれか１項に記載の画像形成装置。
【請求項５】
前記第１の清掃部材の前記直交する方向に対する前記第１清掃面の傾斜角度は３０°以上、６０°以下であることを特徴とする請求項1乃至４のいずれか１項に記載の画像形成装置。
【請求項６】
前記第１の清掃部材の前記直交する方向に対する前記第１清掃面の傾斜角度は４５°であることを特徴とする請求項１乃至５のいずれか１項に記載の画像形成装置。
【請求項７】
前記第１の透過部材に隣接して設けられ、前記第１の透過部材の前記外部側の表面に対して鉛直方向において凹形状の第１凹部と、
前記第２の透過部材と隣接して設けられ、鉛直方向において前記第２の透過部材の前記外部側の表面に対して鉛直方向において凹形状の第２凹部と、をさらに備えることを特徴とする請求項１乃至６のいずれか１項に記載の画像形成装置。
【請求項８】
前記第１凹部は、前記第１の透過部材の前記外部側の表面よりも鉛直方向の下方に形成された溝であって、
前記第２凹部は、前記第２の閉塞部材の前記外部側の表面よりも鉛直方向の下方に形成された溝であることを特徴とする請求項７に記載の画像形成装置。
【請求項９】
前記光走査ユニットは、
前記光を出射する光源と、
前記光源から出射された前記レーザ光を偏向して前記第１の感光体上または前記第２の感光体上に走査する偏向走査手段をさらに備え、
前記保持部材の前記移動方向は、前記偏向走査手段の走査方向と同じ方向であることを特徴とする請求項１乃至８のいずれか１項に記載の画像形成装置。
【請求項１０】
前記第１の透過部材の長手方向に延びるように設けられ、前記保持部材の前記直交する方向における一端と係合することで前記保持部材の移動をガイドする第１ガイド部材と、
前記第２の透過部材の長手方向に延びるように設けられ、前記保持部材の前記直交する方向における他端と係合することで前記保持部材の移動をガイドする第２ガイド部材と、をさらに有することを特徴とする請求項１乃至９のいずれか１項に記載の画像形成装置。
【請求項１１】
前記移動手段は、
前記第１の清掃部材と前記第２の清掃部材との間の位置において前記保持部材と連結し、前記保持部材を前記第１の透過部材または前記第２の透過部材の移動方向に移動させるワイヤと、
前記ワイヤが前記第１の透過部材と前記第２の透過部材との間を通過するように前記ワイヤを張架する複数の滑車と、
前記ワイヤを巻き取る巻取ドラムと、
前記保持部材を前記第１の透過部材及び前記第２の透過部材の長手方向において往復移動させるように前記巻取ドラムを回転駆動する駆動部と、を有することを特徴とする請求項１乃至１０のいずれか１項に記載の画像形成装置。
【発明の詳細な説明】
【技術分野】
【０００１】
本発明は、電子写真プロセスを用いて記録媒体に画像を形成する電子写真複写機、レーザビームプリンタなどの画像形成装置に関する。
【背景技術】
【０００２】
電子写真方式の画像形成装置においては、帯電した感光体の表面に光を照射して静電潜像を形成する光走査装置（光走査ユニット）が搭載されている。また光走査装置の筐体には、光が通過するための開口が形成されている。この開口は、光走査装置の内部にトナーや埃などの付着物が入ることを防止するために、光を透過させる透過部材により閉塞されている。
【０００３】
ここで透過部材の表面に付着物が付着する場合、光学特性が悪化し、画像品質を低下させるおそれがある。これに対して特許文献１では、清掃部材を透過部材に接触させながら移動させることで、透過部材の表面に付着した付着物を清掃部材により除去する構成が記載されている。また、特許文献１に記載の構成では、清掃部材の異物を除去する清掃面が、清掃部材の移動方向と鉛直方向と直交する方向に対して傾斜する面となっている。これにより清掃部材に異物が集積することによる摺動抵抗の増加を抑制する。
【先行技術文献】
【特許文献】
【０００４】
【特許文献１】特開２０１８−１４３３号公報
【発明の概要】
【発明が解決しようとする課題】
【０００５】
特許文献１に記載の構成では、同じ方向に傾斜する面を有する２つの清掃部材を保持部材により共に保持している。
【０００６】
そこで本発明は、上記特許文献１を改良しつつ、光走査ユニットに設けられた清掃部材に付着物が滞留することを抑制することができる画像形成装置を提供することを目的とする。
【課題を解決するための手段】
【０００７】
上記目的を達成するための本発明に係る画像形成装置の代表的な構成は、第１の感光体と、前記第１の感光体と異なる第２の感光体と、前記第１の感光体の表面に形成された静電潜像を、トナーを用いて現像する第１の現像部と、前記第２の感光体の表面に形成された静電潜像を、トナーを用いて現像する前記第１の現像部と異なる第２の現像部と、前記第１の感光体、前記第２の感光体、前記第１の現像部及び前記第２の現像部よりも鉛直方向の下方に配置され、前記第１の感光体及び前記第２の感光体上にレーザ光を走査して静電潜像を形成する光走査ユニットであって、前記第１の感光体上に走査するレーザ光を前記光走査ユニットの内部から外部に通過させ、前記第１の感光体上に走査されるレーザ光の走査方向に長尺な第１の透過部材と、前記第２の感光体上に走査するレーザ光を前記光走査ユニットの内部から外部に通過させ、前記第２の感光体上に走査するレーザ光の走査方向に長尺な第２の透過部材と、を有する光走査ユニットと、前記第１の透過部材の前記光走査ユニットの外部側の表面を清掃するために前記第１の透過部材の前記表面に接触する第１の清掃部材と、前記第２の透過部材の前記光走査ユニットの外部側の表面を清掃するために前記第２の透過部材の前記表面に接触する第２の清掃部材と、前記第１の清掃部材を中央部に対して一端側に保持し、前記第２の清掃部材を前記中央部に対して他端側に保持する保持部材と、前記第１の清掃部材が前記第１の透過部材の長手方向に移動し、前記第２の清掃部材が前記第２の透過部材の長手方向に移動するように前記保持部材を移動させる移動手段と、を備え、前記第１の清掃部材は、前記保持部材の移動方向及び鉛直方向と直交する方向に対して傾斜して前記第１の透過部材と接触する第１清掃面を有し、前記第２の清掃部材は、前記直交する方向に対して傾斜して前記第２の透過部材と接触する第２清掃面であって、前記保持部材の前記一端側から前記他端側へ向かう方向において、前記第１清掃面によって鋭角が形成される側と反対側に鋭角が形成されるように前記直交する方向に傾斜する第２清掃面を有することを特徴とする。
【発明の効果】
【０００８】
本発明によれば、画像形成装置において、光走査ユニットに設けられた清掃部材に付着物が滞留するのを抑制すると共に、清掃部材を保持する保持部材を安定的に移動させることができる。
【図面の簡単な説明】
【０００９】
【図１】画像形成装置の断面概略図である。
【図２】光走査装置の斜視図である。
【図３】光走査装置の平面図である。
【図４】清掃部材の拡大斜視図である。
【図５】清掃部材の断面図である。
【図６】清掃ホルダと清掃部材の拡大図である。
【図７】清掃モード実行時における閉塞部材表面に付着した付着物の動きを模式的に示す模式図である。
【図８】清掃部材の他の構成を示す模式図である。
【発明を実施するための形態】
【００１０】
（第１実施形態）
＜画像形成装置＞
以下、まず本発明の第１実施形態に係る画像形成装置の全体構成を画像形成時の動作とともに図面を参照しながら説明する。なお、以下に記載されている構成部品の寸法、材質、形状、その相対配置などは、特に特定的な記載がない限りは、この発明の範囲をそれらのみに限定する趣旨のものではない。
【００１１】
本実施形態に係る画像形成装置Ａは、イエローＹ、マゼンダＭ、シアンＣ、ブラックＫの４色のトナーを中間転写ベルトに転写した後、シートに画像を転写して画像を形成するフルカラーレーザプリンタである。なお、以下の説明において、上記各色のトナーを使用する部材には添え字としてＹ、Ｍ、Ｃ、Ｋを付するものの、各部材の構成や動作は使用するトナーの色が異なることを除いて実質的に同じであるため、区別を要する場合以外は添え字を適宜省略する。
【００１２】
図１に示す様に、画像形成装置Ａは、シートにトナー像を転写して画像を形成する画像形成部と、画像形成部に向けてシートを供給するシート給送部と、シートにトナー像を定着させる定着部を備える。
【００１３】
画像形成部は、感光体ドラム１０（１０Ｙ、１０Ｍ、１０Ｃ、１０Ｋ）、感光体ドラム１０表面を帯電させる帯電ローラ１２（１２Ｙ、１２Ｍ、１２Ｃ、１２Ｋ）、現像装置１３（１３Ｙ、１３Ｍ、１３Ｃ、１３Ｋ）を備える。また一次転写ローラ１５（１５Ｙ、１５Ｍ、１５Ｃ、１５Ｋ）、光走査装置４０、中間転写ユニット８０を備える。
【００１４】
中間転写ユニット８０は、中間転写ベルト２０、二次転写ローラ６０、ベルト駆動ローラ２１、２２などを備える。中間転写ベルト２０は、ベルト駆動ローラ２１、２２に張架された無端状のベルトであり、ベルト駆動ローラ２１、２２の回転に伴って矢線Ｋ３方向に周回移動する。
【００１５】
光走査装置４０（光走査ユニット）は、感光体ドラム１０及び現像装置１３よりも鉛直方向の下方に配置されている。光走査装置４０は、各色の画像情報に応じて変調されたレーザ光Ｌ（ＬＹ、ＬＭ、ＬＣ、ＬＫ）を出射する光源としての４基の半導体レーザ（不図示）を有する。また光走査装置４０は、回転して４基の半導体レーザから出射された各々のレーザ光Ｌを偏向し、感光体ドラム１０の回転軸線方向に沿って感光体ドラム１０表面を走査する回転多面鏡４１（偏向走査手段）を有する。回転多面鏡４１により偏向されたレーザ光Ｌは、光走査装置４０に設けられた走査レンズ４７やミラー４８に案内されて所定の経路を進んだ後に感光体ドラム１０に照射される。なお、光走査装置４０は、回転多面鏡４１の回転によりレーザ光Ｌの偏向される角度が変化してレーザ光Ｌを感光体ドラム１０の表面で主走査方向に走査する。また感光体ドラム５０が回転することでレーザ光Ｌが副走査方向に走査される。
【００１６】
次に、画像形成動作について説明する。まず不図示の制御部が画像形成ジョブ信号を受信すると、給送ローラ２４、搬送ローラ２５によりシート積載部２に積載収納されたシートＳがリタードローラ２６で１枚に分離されながらレジストローラ２９に送り出される。次に、シートＳは、レジストローラ２９によってタイミング補正がなされた後に、二次転写ローラ６０とベルト駆動ローラ２１から形成される二次転写部に送り込まれる。
【００１７】
一方、画像形成部においては、まず帯電ローラ１２により感光体ドラム１０表面が帯電させられる。その後、不図示の外部機器等から送信された画像信号に応じて光走査装置４０が各色の感光体ドラム１０表面にレーザ光Ｌを照射し、感光体ドラム１０表面に静電潜像を形成する。
【００１８】
その後、現像装置１３（現像部）により感光体ドラム１０表面に形成された静電潜像に各色のトナーを付着させ、感光体ドラム１０表面にトナー像を形成する。感光体ドラム１０表面に形成されたトナー像は、一次転写ローラ１５に一次転写バイアスが印加されることで、中間転写ベルト２０にそれぞれ一次転写される。これにより中間転写ベルト２０表面にフルカラーのトナー像が形成される。
【００１９】
その後、中間転写ベルト２０が周回移動することでトナー像が二次転写部に送られる。そして二次転写部において二次転写ローラ６０に二次転写バイアスが印加されることで、中間転写ベルト２０上のトナー像がシートＳに転写される。
【００２０】
次に、トナー像が転写されたシートＳは、定着装置３において加熱、加圧処理が施され、これによりシートＳ上のトナー像がシートＳに定着される。その後、トナー像が定着されたシートＳは、排出ローラ２８によって排出部１１に排出される。
【００２１】
＜光走査装置＞
次に、光走査装置４０の構成について説明する。
【００２２】
図２は、光走査装置４０の斜視図である。図３は、光走査装置４０の平面図である。図４は、光走査装置４０が有する清掃部材５３の拡大斜視図である。図５は、光走査装置４０を図４における一点鎖線Ｘ部分で切断した断面図である。
【００２３】
図２〜５に示す様に、光走査装置４０は、筐体として、上面が開口されるとともに回転多面鏡４１や走査レンズ４７等の光学部材が収容される光学箱４５ａと、光学箱４５ａの上面の開口を覆うカバー４５ｂを有する。
【００２４】
またカバー４５ｂには、４つの感光体ドラム１０に照射される４つのレーザ光Ｌをそれぞれ通過させるための開口である４つの照射口４２が形成されている。つまり照射口４２は、筐体であるカバー４５ｂの上面に形成され、光源である不図示の半導体レーザから出射されたレーザ光Ｌを通過させるための開口である。照射口４２の形状は、回転多面鏡４１によるレーザ光Ｌの主走査方向を長手方向とする矩形状であり、各々の照射口４２の長手方向は互いに平行となるように形成されている。
【００２５】
また各々の照射口４２は、光走査装置４０の筐体内部にトナーや埃などの付着物が入ることを防止するために、４つの閉塞部材５２によりそれぞれ閉塞されている。閉塞部材５２は、不図示の半導体レーザから出射されたレーザ光Ｌを透過させる透過性を有し、形状は回転多面鏡４１によるレーザ光Ｌの主走査方向を長手方向とする矩形板状である。つまり閉塞部材５２は、感光体ドラム１０上に走査するレーザ光Ｌを光走査装置４０の内部から外部に通過させ、感光体ドラム１０上のレーザ光Ｌの走査方向に長尺な部材である。閉塞部材５２は、例えばガラスカバーである。
【００２６】
また光走査装置４０は、保持部材としての樹脂製の２つの清掃ホルダ５１（５１ａ、５１ｂ）を備える。清掃ホルダ５１は、カバー４５ｂに形成されたガイドレール６１（ガイド部材）に引っ掛かるように係合して設けられ、第１の透過部材、第２の透過部材としての隣り合う２つの閉塞部材５２を跨ぐように延在する。またガイドレール６１の長手方向の一方の端部には、樹脂製のストッパ５６ａ、５６ｂがそれぞれ２つずつ設けられている。なお、ストッパ５６ａ、５６ｂは、カバー４５ｂと一体形成されていても、カバー４５ｂと別体で形成されていてもよい。
【００２７】
また清掃ホルダ５１は、ワイヤ５４に連結されている。換言すれば、清掃ホルダ５１はワイヤ５４を保持している。ワイヤ５４は、カバー４５ｂに回動自在に保持された４つの張設用滑車５７と１つのテンション調整用滑車５８とワイヤ巻取部５９によって環状に張設されている。具体的には、ワイヤ５４は、隣接する２つの閉塞部材５２の間の位置において、閉塞部材５２の長手方向と平行になるように張設される。
【００２８】
ワイヤ５４は、モータ５５（駆動部）の駆動力により環状に走行する。またワイヤ５４は、モータ５５の駆動力によってワイヤ巻取部５９（巻取ドラム）が回転駆動することで、ワイヤ巻取部５９により巻き取られて長さを調整される。このようにワイヤ５４を張設用滑車５７とテンション調整用滑車５８（複数の滑車）とワイヤ巻取部５９で張設することで、ワイヤ５４の張力を安定させると共に、ワイヤ５４を滑らかに環状走行させることができる。またワイヤ５４の走行に伴い、清掃ホルダ５１は、閉塞部材５２の長手方向（図３に示す矢印Ｋ４方向又は矢印Ｋ５方向）に移動する。
【００２９】
また清掃ホルダ５１ａ、５１ｂは、ワイヤ５４との連結部を挟むようにしてそれぞれ２つの清掃部材５３を保持する。清掃部材５３は、シリコンゴムで形成された直方体のゴムパッドであり、それぞれの閉塞部材５２に接触して配置される。なお、清掃ホルダ５１や清掃部材５３の材料はこれに限られない。
【００３０】
清掃部材５３は、清掃ホルダ５１ａ、５１ｂの移動に伴って、閉塞部材５２の外部側の表面に接触しながら閉塞部材５２の長手方向（図３に示す矢印Ｋ４方向又は矢印Ｋ５方向）に移動する清掃面５３ａを有している。これにより、清掃面５３ａが閉塞部材５２のが表面に接触しながら移動することによって閉塞部材５２の表面に付着した付着物を掻き取って除去する。つまり清掃部材５３の移動方向は、感光体ドラム１０の回転軸線方向と同じ方向であり、回転多面鏡４１によってレーザ光Ｌが走査される方向と同じ方向である。また清掃面５３ａは、清掃部材５３の移動方向と鉛直方向に直交する方向（図４に示すＸ方向）に対して傾斜角度θ（図４）で傾斜するように配置されている。この傾斜角度θは、理想的には４５°であり、少なくとも３０°以上、６０°以下であると好ましい。これは傾斜角度θを４５°とすることで、清掃部材５３が往復移動する際に、同じ角度で閉塞部材５２の表面に付着した付着物を掻き取ることができ、清掃性を均一化できるためである。また傾斜角度θが極端に大きいか、極端に小さい場合、付着物を閉塞部材５２の外側まで付着物を移動させられないおそれがあるため、傾斜角度θを３０°以上、６０°以下とするのが好ましい。
【００３１】
またカバー４５ｂには、清掃部材５３の移動方向と鉛直方向とに直交する方向において閉塞部材５２と隣接した位置に、清掃部材５３により除去された付着物を捕集して保持するキャッチ溝６６（第１凹部・第２凹部）が形成されている。キャッチ溝６６は、閉塞部材５２の表面よりも鉛直方向の下方に形成された溝である。
【００３２】
また清掃ホルダ５１ａは、清掃ホルダ５１ａが保持する２つの清掃部材５３の間の位置においてワイヤ５４を保持する。また、この２つの清掃部材５３の清掃面５３ａ（第１清掃面、第２清掃面）は、ワイヤ５４に対して線対称の面となっている。つまり図６に示す様に、２つの清掃部材５３の中央側（ワイヤ５４側）の端部からワイヤ５４の中心線Ｙまでの距離α、また端部側（ガイドレール６１側）の端部からワイヤ５４の中心線Ｙまでの距離β、傾斜角θはそれぞれ等しく構成されている。また清掃ホルダ５１ａにおいてワイヤ５４を保持する位置からガイドレール６１に係合する端部までの距離γも左右等しく構成されている。また、清掃ホルダ５１ａは、２つのガイドレール６１に対して両端で係合するように、一端側から他端側に延びるように構成されている。なお、清掃ホルダ５１ｂに関しても同様の構成である。
【００３３】
これにより、清掃ホルダ５１ａ、５１ｂの移動時に２つの清掃面５３ａにそれぞれかかる、清掃面５３ａの移動方向と交差する方向の分力（清掃面５３ａの傾斜方向にかかる力）は、清掃ホルダ５１ａ、５１ｂ上で互いに打ち消し合う。従って、清掃ホルダ５１ａ、５１ｂが本来の移動方向（閉塞部材５２の長手方向）と交差する方向に移動することを抑制することができる。そして、清掃ホルダ５１ａ、５１ｂの交差する方向の移動に伴ってワイヤ５４が撓むことを抑制することができ、清掃ホルダ５１ａ、５１ｂの移動を安定させることができる。なお、２つの清掃部材５３の清掃面５３ａがワイヤ５４に対して傾斜する方向に関しては本実施形態の方向と逆の方向でも上記同様の効果を得ることができる。
【００３４】
また、清掃ホルダ５１ａ、５１ｂの移動方向と交差する方向への移動が許容できる範囲であれば、２つの清掃部材５３の清掃面５３ａが線対称でなくてもよい。例えば、２つの清掃部材５３の清掃面の一方を、清掃ホルダ５１ａ，５１ｂの移動方向及び鉛直方向に傾斜する方向に対して４６°で傾斜させ、他方を１３６°で傾斜させるものであってもよい。
【００３５】
このように、２つの清掃部材５３の清掃面５３ａが、清掃ホルダ５１ａ、５１ｂの一端から他端に向かう方向において、互いに異なる側に鋭角を形成するように傾斜するものであればよい。例えば、図６に示したように、傾斜角度θが鋭角である場合、図中で清掃ホルダ５１の左側端部側（一端側）に設けられた清掃部材５３は他端側に鋭角が形成され、右側端部側（他端側）に設けられた清掃部材５３は一端側（反対側）に鋭角が形成されている。換言すれば、２つの清掃部材５３は、どちらも清掃ホルダ５１ａ、５１ｂの中央部側（ワイヤ５４に近い側）に鋭角を有するように傾斜している。
【００３６】
また、清掃部材５３の清掃面５３ａが、清掃ホルダ５１ａ、５１ｂの一端から他端に向かう方向において、互いに異なる側に鋭角を形成するように傾斜するものであれば、上述した構成と逆の構成であってもよい。例えば、図中で清掃ホルダ５１の左側端部側（一端側）に設けられた清掃部材５３を一端側に鋭角が形成されるように構成し、右側端部側（他端側）に設けられた清掃部材５３を他端側に鋭角が形成されるように構成してもよい。換言すれば、２つの清掃部材５３は、どちらも清掃ホルダ５１ａ、５１ｂの両端部側）（ガイドレール６１側）に鋭角を形成するように傾斜する構成であってもよい。なお、清掃ホルダ５１ｂに関しても同様の構成である。
【００３７】
＜清掃モード＞
次に、閉塞部材５２の表面を清掃する清掃モードについて説明する。
【００３８】
清掃モードは、画像形成装置Ａがメンテナンス状態になっているときにユーザがタッチパネル等の不図示の入力デバイスを操作することで実行される。なお、清掃モードの実行タイミングはこれに限られず、例えば画像が所定枚数形成される度に清掃モードを実行する構成としてもよい。
【００３９】
清掃モードが開始されると、まずモータ５５が駆動を開始し、ワイヤ５４は図３に示す矢印Ｋ６方向に走行する。ワイヤ５４が走行すると、清掃ホルダ５１ａはガイドレール６１に沿って図３に示す矢印Ｋ４方向に移動し、清掃ホルダ５１ａはガイドレール６１に沿って図３に示す矢印Ｋ５方向に移動する。これに伴って４つの清掃部材５３が４つの閉塞部材５２の表面に接触しながら移動し、この移動に伴って清掃面５３ａにより閉塞部材５２表面に付着した付着物が掻き取られて除去される。
【００４０】
その後、清掃ホルダ５１ａは、その移動経路の一端に設けられたストッパ５６ａに当接する。この結果、ワイヤ５４の走行が停止し、清掃ホルダ５１ａ、５１ｂが停止する。このとき、モータ５５に作用する負荷が増加する。この負荷の増加に応じてモータ５５は逆回転を開始し、ワイヤ５４も逆方向（図３に示す矢印Ｋ７方向）への走行を開始する。
【００４１】
その後、清掃ホルダ５１ｂが、その移動経路の一端に設けられたストッパ５６ｂに当接する。この結果、ワイヤ５４の走行が停止し、清掃ホルダ５１ａ、５１ｂが停止する。このとき、モータ５５に作用する負荷が増加する。この負荷の増加に応じてモータ５５が停止する。このように本実施形態では、清掃モードを一度実行する度に、閉塞部材５２の長手方向に沿って清掃部材５３を一往復させる。
【００４２】
次に、清掃モード実行時における閉塞部材５２表面に付着した付着物２００の動きについて、付着物の動きを模式的に示す図７の模式図を用いて説明する。なお、図７（ａ）と図７（ｂ）は、清掃部材５３の移動方向が反対の場合の模式図である。
【００４３】
図７に示す様に、清掃部材５３が移動すると、閉塞部材５２表面に付着した付着物２００は、清掃部材５３の清掃面５３ａから力を受けて清掃面５３ａに掻き取られながら移動する。このとき、清掃面５３ａは清掃部材５３の移動方向に直交する方向に対して傾斜するように配置されているため、清掃面５３ａに掻き取られた付着物２００は、清掃部材５３の移動方向と直交する方向に移動し、キャッチ溝６６に落下して捕集される。
【００４４】
このように清掃部材５３の清掃面５３ａを、清掃部材５３の移動方向と直交する方向に対して傾斜するように配置することで、閉塞部材５２表面に付着した付着物を、清掃部材５３の移動経路上から除去することができる。従って、閉塞部材５２に付着物２００が再付着ことを抑制し、従来の構成よりも清掃能力を向上させることができる。
【００４５】
なお、清掃部材５３の清掃面５３ａの構成は本発明のものに限られず、清掃部材５３の移動方向と直交する方向に対して傾斜する面を有していれば上記同様の効果を得ることができる。すなわち、例えば図８（ａ）に示す様に、清掃部材５３の清掃面５３ａの傾斜する向きを本実施形態の構成と反対の向きにしてもよい。また清掃部材５３の形状を、図８（ｂ）に示す様に正方形にする構成や、図８（ｃ）に示す様にひし形にする構成であってもよい。
【００４６】
また本実施形態では、連結したワイヤ５４によって清掃ホルダ５１ａ、５１ｂが移動される構成としたが、清掃ホルダ５１ａ、５１ｂを閉塞部材５２の長手方向に移動できるものであれば、どのような構成であってもよい。例えば、スクリューを回転させることで、清掃ホルダ５１ａ、５１ｂを閉塞部材５２の長手方向に移動させる構成であってもよい。
【符号の説明】
【００４７】
１０…感光体ドラム（感光体）
１３…現像装置（現像部）
４０…光走査装置（光走査ユニット）
４１…回転多面鏡（偏向走査手段）
４２…照射口（開口）
４５ａ…光学箱（筐体）
４５ｂ…カバー（筐体）
５１…清掃ホルダ（保持部材）
５２…閉塞部材（第１の閉塞部材、第２の閉塞部材）
５３…清掃部材（第１の清掃部材、第２の清掃部材）
５３ａ…清掃面（第１清掃面、第２清掃面）
５４…ワイヤ
６６…キャッチ溝（第１凹部・第２凹部）
Ａ…画像形成装置
Ｌ…レーザ光
【図１】
2019159136.tif 000003
【図２】
2019159136.tif 000004
【図３】
2019159136.tif 000005
【図４】
2019159136.tif 000006
【図５】
2019159136.tif 000007
【図６】
2019159136.tif 000008
【図７】
2019159136.tif 000009
【図８】
2019159136.tif 000010